(57)【特許請求の範囲】
【請求項１】
ガスメータから供給されるガス流量に基づき、カウント動作を行う複数の電子式の積算値カウンタを有する多機能型ガスカウンタであって、
前記積算値カウンタのうちの一つは特定器具積算値カウンタであり、
この特定器具積算値カウンタは、ガス流量が第１の流量以上の状態で第１の時間幅以上に亘り、しかる後に、前記第１の流量よりも少ない第２の流量以上の状態で前記第１の時間幅よりも長い第２の時間幅以上に亘った場合において、前記第１の流量に達した時点から前記第２の流量を下回った時点までのガス流量の積算値である特定器具積算値をカウントすることを特徴とする多機能型ガスカウンタ。
【請求項２】
請求項１において、
前記積算値カウンタは、長時間積算値カウンタと、大流量積算値カウンタと、指定時間積算値カウンタと、指定温度時積算値カウンタのうちの少なくとも一つを含み、
前記長時間積算値カウンタは、ガス流量が所定流量以上で、所定時間以上にわたる場合における当該ガス流量の積算値である長時間積算値をカウントするためのものであり、
前記大流量積算値カウンタは、ガス流量が所定流量以上の場合における当該ガス流量の積算値である大流量積算値をカウントするためのものであり、
前記指定時間積算値カウンタは、指定された時間におけるガス流量の積算値である指定時間積算値をカウントするためのものであり、
前記指定温度時積算値カウンタは、指定された外気温度におけるガス流量の積算値である指定温度時積算値をカウントするためのものであることを特徴とする多機能型ガスカウンタ。
【請求項３】
請求項１または２において、
前記積算値カウンタによる積算値を表示するための積算値表示部と、この積算値表示部に表示される積算値の種類を切り換える表示切り換え用ボタンとを備えていることを特徴とする多機能型ガスカウンタ。
【請求項４】
請求項１、２または３において、
前記積算値カウンタによる積算値を、通信回線を介して送信するための通信部を有していることを特徴とする多機能型ガスカウンタ。
【請求項５】
請求項４において、
前記通信部は無線通信回線を介して積算値を送信する無線通信部であることを特徴とする多機能型ガスカウンタ。
【請求項６】
ガス流量を計量する計量部と、計量されたガス流量の積算値をカウントする通常積算値カウンタと、請求項１または２に記載の多機能型ガスカウンタとを有することを特徴とする多機能型ガスメータ。
【請求項７】
請求項６において、
前記積算値カウンタによる積算値を表示するための表示器を有し、
この表示器は、積算値表示部と、この積算値表示部に表示される積算値の種類を切り換える表示切り換え用ボタンとを備えていることを特徴とする多機能型ガスメータ。
【請求項８】
請求項６または７において、
前記積算値カウンタによる積算値を通信回線を介して送信するための通信部を有していることを特徴とする多機能型ガスメータ。
【請求項９】
請求項８において、
前記通信部は無線通信回線を介して積算値を送信する無線通信部であることを特徴とする多機能型ガスメータ。
【請求項１０】
請求項１または２に記載の多機能型ガスカウンタと、前記積算値カウンタによる積算値を表示するための積算値表示部と、この積算値表示部に表示される積算値の種類を切り換える切り換え用ボタンとを有していることを特徴とする表示装置。
【請求項１１】
請求項１０において、
前記積算値カウンタによる積算値を通信回線を介して送信するための通信部を有していることを特徴とする表示装置。
【請求項１２】
請求項１１において、
前記通信部は無線通信回線を介して積算値を送信する無線通信部であることを特徴とする表示装置。
【請求項１３】
ガスメータによって計量されたガス流量を通信回線を介して送信するために用いる伝送装置であって、請求項１または２に記載の多機能型ガスカウンタを有していることを特徴とする伝送装置。
【請求項１４】
請求項１３において、
前記積算値カウンタによる積算値を表示するための表示器を有し、
この表示器は、積算値表示部と、この積算値表示部に表示される積算値の種類を切り換える表示切り換え用ボタンとを備えていることを特徴とする伝送装置。
【請求項１５】
請求項１３において、
前記ガスメータとの間で無線通信を行う無線機を有していることを特徴とする伝送装置。
【請求項１６】
ガス流量を計量する計量部および計量されたガス流量の積算値をカウントする通常積算値カウンタを備えたガスメータと、このガスメータで計量されたガス流量などを通信回線を介してセンタ装置に送信する伝送装置とを有し、
前記ガスメータおよび前記伝送装置のうちの一方は、請求項１または２に記載の多機能型ガスカウンタを備えており、
前記ガスメータと前記伝送装置の間の通信が無線通信により行われることを特徴とする多機能型ガスメータシステム。
【請求項１７】
請求項１６において、
前記ガスメータに接続されていると共に前記多機能型ガスカウンタを内蔵した無線機と、前記伝送装置に接続されている無線機とを備え、これらの無線機の間で無線通信が行われることを特徴とする多機能型ガスメータシステム。
【請求項１８】
請求項１６において、
前記伝送装置に接続されていると共に前記多機能型ガスカウンタを内蔵した無線機と、前記ガスメータに接続されている無線機とを備え、これらの無線機の間で無線通信が行われることを特徴とする多機能型ガスメータシステム。
【請求項１９】
請求項１７または１８に記載の多機能型ガスメータシステムに用いられる無線機であって、前記多機能型ガスカウンタが内蔵されている無線機。
【請求項２０】
請求項１９において、
前記積算値カウンタによる積算値を表示するための表示器を有し、
この表示器は、積算値表示部と、この積算値表示部に表示される積算値の種類を切り換える表示切り換え用ボタンとを備えていることを特徴とする無線機。
【請求項２１】
ガス流量を計量する計量部および計量されたガス流量の積算値をカウントする通常積算値カウンタを備えたガスメータと、このガスメータに対して通信回線を介して接続されているセンタ装置とを有し、
前記センタ装置は、請求項１または２に記載の多機能型ガスカウンタを備えていることを特徴とする多機能型ガスメータシステム。
【請求項２２】
請求項２１において、
前記センタ装置は前記積算値カウンタによる積算値を表示するための表示器を有し、
この表示器は、積算値表示部と、この積算値表示部に表示される積算値の種類を切り換える表示切り換え用ボタンとを備えていることを特徴とする多機能型ガスメータシステム。
【発明の詳細な説明】
【０００１】
【発明の属する技術分野】
本発明は、ガスメータから供給されるガス流量に基づき各種の積算値を算出可能な多機能型ガスカウンタに関するものである。また、本発明は、このような多機能型ガスカウンタを備えた多機能型ガスメータ、表示装置、および伝送装置に関するものである。さらに、本発明は、このような多機能型ガスカウンタを備えたセンタ局が通信回線を介してガスメータに接続された構成の多機能型ガスメータシステムに関するものである。
【０００２】
【従来の技術】
一般的なガスメータは、住宅等のガス供給管を流れるガス流量を検出する流量検出部と、この流量検出部の検出出力に基づきガス流量を計量する計量部と、計量されたガス流量の積算値をカウントする機械式および電子式の積算値カウンタと、ガス流量積算値を表示する表示部を備えている。ガス使用料は、定期的に、ガス流量積算値に、単位ガス流量当たりの料金を掛け合わせることにより算出され、各消費者に請求される。
【０００３】
【発明が解決しようとする課題】
ここで、ガス会社にとっては、ガスの売上を伸ばしたり、あるいは、特定のガス器具の拡販を図る方法として、ガス使用料として特別な料金設定システムを採用することが考えられる。
【０００４】
例えば、ガス使用量の多い消費者には割引料金を適用して、ガス消費の促進を図ったり、拡販対象のガス器具、例えばガスファンヒータが使用されている場合には、使用ガス料金を値引く等の方法が考えられる。
【０００５】
また、床暖房装置やＧＨＰ（ガスヒートポンプ）等が使用される場合のガス料金を値引きして、その普及を図ることにより、年間を通じてガス使用量の均一化を図り、全体としてのガス使用量を多くすることにより、配送コスト等の低減化も実現できるものと考えられる。
【０００６】
本発明の課題は、このような点に鑑みて、ガス料金の設定を多様化できるようにするために、通常のガス流量の積算値以外のガス流量の積算値、特に、床暖房装置やガスファンヒータ等のように、使用開始時にはガス流量が多く、その後はガス流量が低下するようなガス器具によるガス使用量の積算値をカウント可能な多機能型ガスカウンタを提案することにある。
【０００７】
また、本発明の課題は、このような多機能型ガスカウンタを備えた多機能型ガスメータ、表示装置および伝送装置を提案することにある。
【０００８】
さらに、本発明の課題は、このような多機能型ガスカウンタを備えたセンタ局と、通信回線を介して当該センタ局に接続されたガスメータとを有する多機能型ガスメータシステムを提案することにある。
【０００９】
【課題を解決するための手段】
上記の課題を解決するために、本発明は、ガスメータから供給されるガス流量に基づき、カウント動作を行う複数の電子式の積算値カウンタを有する多機能型ガスカウンタであって、前記積算値カウンタの一つとして特定器具積算値カウンタを備えており、この特定器具積算値カウンタは、ガス流量が第１の流量以上の状態で第１の時間幅以上に亘り、しかる後に、前記第１の流量よりも少ない第２の流量以上の状態で前記第１の時間幅よりも長い第２の時間幅以上に亘った場合において、前記第１の流量に達した時点から前記第２の流量を下回った時点までのガス流量の積算値である特定器具積算値をカウントすることを特徴としている。
【００１０】
ここで、前記積算値カウンタには、長時間積算値カウンタと、大流量積算値カウンタと、指定時間積算値カウンタと、指定温度時積算値カウンタのうちの少なくとも一つが含まれていることが望ましい。
【００１１】
前記長時間積算値カウンタは、ガス流量が所定流量以上で、所定時間以上にわたる場合における当該ガス流量の積算値である長時間積算値をカウントするためのものである。また、前記大流量積算値カウンタは、ガス流量が所定流量以上の場合における当該ガス流量の積算値である大流量積算値をカウントするためのものである。さらに、前記指定時間積算値カウンタは、指定された時間におけるガス流量の積算値である指定時間積算値をカウントするためのものである。前記指定温度時積算値カウンタは、指定された外気温度におけるガス流量の積算値である指定温度時積算値をカウントするためのものである。
【００１２】
本発明の多機能型ガスカウンタは、更に、前記積算値カウンタによる積算値を表示するための積算値表示部と、この積算値表示部に表示される積算値の種類を切り換える表示切り換え用ボタンとを備えていることが望ましい。
【００１３】
また、前記積算値カウンタによる積算値を、通信回線を介して送信するための通信部を有していることが望ましい。通信回線として配線工事などが不要な無線通信回線を利用することができる。
【００１４】
本発明の多機能型ガスカウンタをガスメータに内蔵することにより、多機能型ガスメータを構成することができる。この多機能型ガスメータは、ガス流量を計量する計量部と、計量されたガス流量の積算値をカウントする通常積算値カウンタと、上記構成の多機能型ガスカウンタとを有する構成とされる。
【００１５】
この場合においても、前記積算値カウンタによる積算値を表示するための表示器を有し、この表示器が、積算値表示部と、この積算値表示部に表示される積算値の種類を切り換える表示切り換え用ボタンとを備えた構成とすることが望ましい。
【００１６】
また、前記積算値カウンタによる積算値を通信回線を介して送信するための通信部を有していることが望ましい。この通信部を、無線通信回線を介して積算値を送信する無線通信部とすることができる。
【００１７】
また、本発明の多機能型ガスカウンタを、ガスメータの計測値を表示するための表示装置に内蔵することもできる。
【００１８】
さらに、本発明の多機能型ガスカウンタを、ガスメータによって計量されたガス流量を通信回線を介して送信するために用いる伝送装置に内蔵することもできる。
【００１９】
この場合、ガスメータとの間の通信を無線通信により行うように構成することができる。すなわち、ガスの消費場所に設置される多機能型ガスメータシステムとして、ガス流量を計量する計量部および計量されたガス流量の積算値をカウントする通常積算値カウンタを備えたガスメータと、このガスメータで計量されたガス流量などを通信回線を介してセンタ装置に送信する伝送装置とを有し、前記ガスメータおよび前記伝送装置のうちの一方を、上記構成の多機能型ガスカウンタを備えた構成のものを採用した場合において、前記ガスメータと前記伝送装置の間の通信を無線通信により行うことができる。
【００２０】
この場合において、前記ガスメータに接続されていると共に前記多機能型ガスカウンタを内蔵した無線機と、前記伝送装置に接続されている無線機とを備え、これらの無線機の間で無線通信を行うように構成することができる。
【００２１】
逆に、前記伝送装置に接続されていると共に前記多機能型ガスカウンタを内蔵した無線機と、前記ガスメータに接続されている無線機とを備え、これらの無線機の間で無線通信を行うように構成することもできる。
【００２２】
また、かかる多機能型ガスメータシステムに用いられる無線機であって、多機能型ガスカウンタ内蔵無線機は、前記積算値カウンタによる積算値を表示するための表示器を有し、この表示器は、積算値表示部と、この積算値表示部に表示される積算値の種類を切り換える表示切り換え用ボタンとを備えた構成とすることが望ましい。
【００２３】
一方、本発明の多機能型ガスカウンタを、ガス流量を計量する計量部および計量されたガス流量の積算値をカウントする通常積算値カウンタを備えたガスメータと、このガスメータに対して通信回線を介して接続されているセンタ装置とを有する構成のガスメータシステムにおけるセンタ局の側に配置することもできる。
【００２４】
【発明の実施の形態】
以下に、図面を参照して、本発明を適用した多機能型ガスカウンタを備えた多機能型ガスメータを詳細に説明する。
【００２５】
（多機能型ガスメータ）
図１は、本発明を適用した多機能型ガスメータのシステム構成図である。本例の多機能型ガスメータシステム１は、多機能型ガスメータ本体２と、ここに接続されている外付けの表示器３から構成されており、これらの間で電文通信が行われる。多機能型ガスメータ本体２には、複数の電子式の積算値カウンタが内蔵されている。表示器３は、必要に応じて多機能型ガスメータ本体２の各積算値カウンタによる積算値を呼び出して、表示可能となっている。
【００２６】
表示器３の取り付け場所は、図２（ａ）に示すように、多機能型ガスメータ本体２から離れた場所、例えば、住宅の壁等とすることができる。あるいは、図２（ｂ）に示すように、表示器３を多機能型ガスメータ本体２の前面に直接取り付けることもできる。
【００２７】
図３は、本例の多機能型ガスメータシステム１における多機能型ガスメータ本体２および表示器３の内部構成を示す概略ブロック図である。この図に示すように、多機能型ガスメータ本体２は、通常のガスメータと同様に、ガス流通部（図示せず）を流れるガス流量を計量する機械式計量部２１と、この機械式計量部２１に機械的に連結され、計量結果に基づきガス流量の通常の積算値をカウントする機械式カウンタ２２と、機械式計量部２１の計量結果に基づき、ガス流量の通常の積算値をカウントする電子式の通常積算値カウンタ２３と、マイクロコンピュータから構成される制御部２４とを有している。
【００２８】
さらに、多機能型ガスメータ本体２には多機能型ガスカウンタが内蔵されており、本例の多機能型ガスカウンタは、制御部２４の制御の下に動作する電子式の長時間積算値カウンタ２５と、大流量積算値カウンタ２６と、指定時間積算値カウンタ２７と、指定温度時積算値カウンタ２８と、特定器具積算値カウンタ２０とを備えている。
【００２９】
これらの電子式の積算値カウンタ２０、２３、２５〜２８の積算値は、制御部２４の制御の下に、通信部２９を介して、表示器３の側に伝送可能となっている。
【００３０】
表示器３は、マイクロコンピュータから構成される制御部３１と、液晶表示部３２と、多機能型ガスメータ本体２の側から各種の積算値を受信する通信部３３と、液晶表示部３２の表示切り換えを行うための表示切り換えボタン３４を備えている。例えば、表示切り換えボタン３４の操作に応じて、液晶表示部３２に表示される積算値が、通常積算値、長時間積算値、大流量積算値、指定時間積算値、指定温度時積算値、特定器具積算値の順にサイクリックに切り換わるように構成されている。
【００３１】
次に、図４〜図７を参照して、５つの積算値カウンタ２０、２５〜２８について詳細に説明する。
【００３２】
（長時間積算値カウンタ２５）
まず、図４には長時間積算値をカウントするための長時間積算値カウンタ２５の動作を示してある。この長時間積算値カウンタ２５は、ＧＨＰ等の特定ガス器具を使用している時のガスの従量単価を別料金とするために、一定流量以上のガス流量で、一定時間以上にわたりガスが使用された場合のガス流量の積算値をカウントするためのものである。
【００３３】
例えば、図４（ａ）に示すように、ガス流量がＱ以上である使用状態が、一定時間Ｔ以上に亘る場合に、長時間積算値カウンタ２５が積算値をカウントするものとする。図においては、流量Ｑ以上の時間が一定時間Ｔよりも長い時間ｔにわたっており、この場合には、網掛け部分が長時間積算値となり、この面積分に相当するガス量が長時間積算値カウンタ２５に加算される。
【００３４】
図４（ｂ）のフローチャートに従って積算動作を説明する。まず、ガス流量が設定値Ｑを超えた時に、その時点の積算値Ｃｓを記憶する（ステップＳＴ１）。次に、ガス流量が設定値Ｑを下回った時、その時点の積算値Ｃｅを記憶する（ステップＳＴ２）。次に、継続時間ｔが設定時間Ｔ以上の場合には、ｔ時間内の積算値（Ｃｅ−Ｃｓ）を長時間積算カウンタ２５に加算する（ステップＳＴ３）。しかるに、継続時間ｔが設定時間Ｔ未満の場合には、長時間積算値カウンタ２５への加算は行わない。
【００３５】
このようなカウント動作を行う長時間積算値カウンタ２５を用いることにより、使用ガス器具を特定することができる。例えば、図４（ｃ）の表の左欄および中欄に示すようにＱ、Ｔの値を設定すれば、該当ガス器具として、右欄に示すようなガス器具を該当ガス器具として特定できる。
【００３６】
（大流量積算値カウンタ２６）
図５には大流量積算値をカウントするための大流量積算値カウンタ２６の動作を示してある。この大流量積算値カウンタ２６は、ガス給湯器等の特定ガス器具を使用している時のガスの従量単価を別料金とするために、一定流量以上のガス流量の積算値をカウントするためのものである。
【００３７】
例えば、図５（ａ）に示すように、ガス流量がＱ以上の場合に、網掛け部分の面積に相当するガス流量の積算値が、大流量積算値カウンタ２６によりカウントされる。
【００３８】
図５（ｂ）のフローチャートに従って積算動作を説明する。まず、ガス流量が設定値Ｑを超えた時に、その時点の積算値Ｃｓを記憶する（ステップＳＴ１１）。次に、ガス流量が設定値Ｑを下回った時、その時点の積算値Ｃｅを記憶する（ステップＳＴ１２）。次に、積算値（Ｃｅ−Ｃｓ）を大流量積算値カウンタ２６に加算する（ステップＳＴ１３）。
【００３９】
このようなカウント動作を行う大流量積算値カウンタ２６を用いることにより、使用ガス器具を特定することができる。例えば、図５（ｃ）の表の左欄に示すようにＱの値を設定すれば、該当ガス器具として、右欄に示すようなガス器具を該当ガス器具として特定できる。
【００４０】
（指定時間積算値カウンタ２７）
図６には指定時間積算値をカウントするための指定時間積算値カウンタ２７の動作を示してある。この指定時間積算値カウンタ２７は、夜間、土日休日、指定の季節のガスの従量単価を別料金とするために、指定時間の積算値をカウントするためのものである。
【００４１】
例えば、図６（ａ）に示すように、時刻ｔ１およびｔ２で規定される指定時間帯（網掛け部分）のガス流量の積算値が、指定時間積算値カウンタ２７によってカウントされる。
【００４２】
図６（ｂ）のフローチャートに従って説明すると、まず、指定時間ｔ１になった時に、その時点の積算値Ｃｓを記憶する（ステップＳＴ２１）。次に、指定時間ｔ２になった時、その時点の積算値Ｃｅを記憶する（ステップＳＴ２２）。次に、指定時間帯である時間ｔ１からｔ２までの積算値（Ｃｅ−Ｃｓ）を指定時間積算値カウンタ２７に加算する（ステップＳＴ２３）。
【００４３】
図６（ｃ）には、時間幅の設定例を表にしてある。この表の左欄には特別料金が開始される指定時間ｔ１の例を示してあり、中欄には特別料金の指定が解除される指定時間ｔ２の例を示してある。これらの指定時間は、内蔵タイマ、内蔵カレンダにより設定できる。また、後述（図１０参照）のように通信機能を備えており、センタ側と通信可能な場合には、センタ側からの指示により、都度、時間帯を設定することも可能である。表の右欄には、該当時間帯の料金と、指定時間の設定方法を示してある。
【００４４】
（指定温度時積算値カウンタ２８）
図７には指定温度時積算値をカウントするための指定温度時積算値カウンタ２８の動作を示してある。この指定温度時積算値カウンタ２８は、低温時（ＧＨＰ、ストーブ使用時）、高温時（ＧＨＰ使用時）に、ガスの従量単価を別料金とするために、特定温度時の積算値をカウントするためのものである。
【００４５】
例えば、図７（ａ）に示すように、夏等のように冷房が使用されることが想定される場合、外気温が指定温度Ｔ以上の場合に、使用されるガス流量の積算値（図の網掛け部分）が、積算値カウンタ２８によってカウントされる。
【００４６】
図７（ｂ）のフローチャートに従って説明すると、まず、指定温度Ｔを超えた時、その時点の積算値Ｃｓを記憶する（ステップＳＴ３１）。次に、指定温度Ｔを下回った時、その時点の積算値Ｃｅを記憶する（ステップＳＴ３２）。次に、積算値（Ｃｅ−Ｃｓ）を指定温度時積算値カウンタ２８に加算する（ステップＳＴ３３）。
【００４７】
図７（ｃ）には、指定温度の設定例を表にしてある。外気温度が１０度以下の場合には、一般に暖房用ガス器具が使用され、これが特別料金とされる。また、外気温が２３度以上の場合は一般に冷房用ガス器具が使用され、これも特別料金とされる。
【００４８】
（特定器具積算値カウンタ２０）
上記のように、給湯器などの大型ガス器具を使用した場合には、一定流量以上のガスが使用されるので、その時のガス使用量は大流量積算値カウンタ２６によりカウントされる。また、ガスストーブ等のように長時間に亘り利用されるガス器具を使用した場合には、一定流量以上で一定時間以上に亘りガスが使用されるので、その時のガス使用量は長時間積算値カウンタ２５によりカウントされる。しかしながら、床暖房装置やガスファンヒータ等のガス器具によるガス使用量を、上記の各カウンタ２５ないし２９によりカウントすることができない。
【００４９】
例えば、図８に示すように、床暖房装置を使用した場合のガスの使われ方は、最初は部屋が冷えているので大流量（流量Ｑ１以上の流量）のガスが使用される（使用開始時点ｔ１から時点ｔ２までの第１の時間幅Ｔ１）。しかし、その後、部屋が暖まると、小流量（流量Ｑ１未満であって、流量Ｑ２以上の流量）のガスが長時間使用される（時点ｔ２から使用終了時点ｔ３までの第２の時間幅Ｔ２）。
【００５０】
本例では、このようなガス使用パターンのガス器具を特定器具と呼び、この特定器具によるガス使用量をカウントするために、特定器具積算値カウンタ２０が備わっている。このカウンタ２０を用いれば、床暖房装置やガスファンヒータ等の特定器具を使用している時のガスの従量単価を別料金として課金、清算することが可能になる。
【００５１】
ここで、特定器具の一つであるガスファンヒータを例に挙げて、本例の特定器具積算値カウンタ２０による具体的なカウント動作を説明する。一例として取り上げる市販のガスファンヒータは、木造住宅６畳まで、鉄筋コンクリート住宅９畳までの暖房に適したものであり、ガス消費量が２１００ないし６００ｋｃａｌ／ｈであり、急速暖房時のガス消費量が２８００ｋｃａｌ／ｈとされている。ガスファンヒータの機能としては、急速暖房モードとセーブ運転モードがあり、急速暖房モードは、スイッチがオンされると、３０分間急速暖房を行なうことにより、室温を一気に設定温度まで暖めるためのモードである。セーブ運転モードは、室温が設定温度に到達して３０分後に、サーモ設定温度を１℃低めに切換えて運転制御を行い、１時間後には更に１℃低めに切換えて運転制御を行なうという制御動作を繰り返し、体に感じない程度にパワーを段階的に下げながら省電力運転を行なうモードである。
【００５２】
図９（ａ）にはこのように駆動制御されるガスファンヒータの典型的なガス使用流量パターンを示してある。この図に示すように、ガスファンヒータが使用されていることを判別するために、第１のガス流量Ｑ１、第２のガス流量Ｑ２、第１の時間幅Ｔ１および第２の時間幅Ｔ２を採用し、第１のガス流量Ｑ１以上で第１の時間幅Ｔ１以上に亘ってガスが使用され、しかる後に、第１のガス流量Ｑ１よりも少なく第２のガス流量Ｑ２以上で第２の時間幅Ｔ２以上に亘ってガスが使用された場合に、ガスファンヒータが使用されていると判断して、ガス流量が第１のガス流量Ｑ１を越えた時点から第２のガス流量Ｑ２を下回った時点までのガス流量の積算値を特定器具積算値カウンタ２０でカウントするようにしている。
【００５３】
本例では、第１のガス流量Ｑ１を２０００ｋｃａｌ／ｈとし、第２のガス流量Ｑ２を５００ｋｃａｌ／ｈとし、第１の時間幅Ｔ１を３０分間とし、第２の時間幅Ｔ２を９０分間としている。なお、これらの値は一例であり、本発明をこれらの値に限定することを意図するものではない。また、特定器具のガス使用パターンを判別するために、複数組の上記Ｑ１、Ｑ２、Ｔ１、Ｔ２を予め記憶しておき、これらに基づき複数種類の特定器具を判別することも可能である。
【００５４】
図９（ｂ）のフローチャートに従って説明すると、まず、ガス流量が第１のガス流量Ｑ１を超えた時（時点ｔ１）に、その時点の積算値Ｃ１を記憶する（ステップＳＴ４１）。次に、ガス流量が値Ｑ１を下回った時（時点ｔ２）、時点ｔ１から時点ｔ２までの時間幅が第１の時間幅Ｔ１（＝３０分間）未満の場合には、積算処理を中止し、以上の場合には処理を継続する（ステップＳＴ２）。図９（ａ）の例では時間幅が６０分間であるので処理を継続する。
【００５５】
次に、ガス流量が第２のガス流量Ｑ２を下回った時点（時点ｔ３）における積算値Ｃ３を記憶する（ステップＳＴ４３）。ここで、時点ｔ２から時点ｔ３までの時間幅が第２の時間幅Ｔ２（＝９０分間）以上の場合には、積算値（Ｃ３−Ｃ１）を算出し、この値を、特定器具積算値カウンタ２０に加算する（ステップＳＴ４４）。時間幅が第２の時間幅Ｔ２未満の場合には特定器具積算値カウンタ２０によるカウントは行なわない。図９（ａ）の例では時間幅が９０分間であるのでカウント動作が行われる。このようにして、ガスファンヒータによるガス使用量の積算値が特定器具積算値カウンタ２０によってカウントされる。
【００５６】
ここで、本例では特定器具によるガス使用状態を判別するために、値Ｑ１、Ｑ２、Ｔ１、Ｔ２を採用している。すなわち、ガス使用パターンが二段階で変化するガス器具を特定器具として判別している。より精度良く、特定器具を判別するために、判別用のガス流量としてＱ１、Ｑ２よりも多い数のガス流量を規定し、Ｔ１、Ｔ２よりも多い数の時間幅を規定してもよい。このようにすれば、多段階、あるいはガス使用量が使用開始時から漸減するようなパターンの特定器具を精度良く判別でき、各特定器具毎のガス使用量の積算値をカウントすることが可能になる。
【００５７】
なお、一般的には、図１０に示すように、上記構成の多機能型ガスメータ１には、その多機能型ガスメータ本体２に通信用の伝送装置（ＮＣＵ）５が接続され、公衆回線６を介して、センタ７の側の管理コンピュータシステム８との間で通信が可能な多機能型ガスメータシステム４とされる。ここで、公衆回線６は、ＮＴＴの電話回線網、携帯電話回線網、ＰＨＳ回線網、コンピュータ通信網などの回線を意味している。
【００５８】
（多機能型ガスカウンタ内蔵型表示装置）
次に、図１１には、本発明を適用した多機能型ガスカウンタ内蔵型表示装置を備えた多機能型ガスメータシステムのシステム構成例を示してある。この多機能型ガスメータシステム１０では、一般的に使用されているガスメータ１２に接続されている表示装置１３に多機能型ガスカウンタ１４が内蔵されている。ガスメータ１２と表示装置１３の間は電文通信が行われる。
【００５９】
図１２には、本例のシステム１０におけるガスメータ１２と表示装置１３の内部構成を示す概略ブロックを示してある。この図に示すように、ガスメータ１２は従来から使用されている一般的なものであり、ガス流通部（図示せず）を流れるガス流量を計量する機械式計量部２１と、この機械式計量部２１に機械的に連結され、計量結果に基づきガス流量の通常の積算値をカウントする機械式カウンタ２２と、機械式計量部２１の計量結果に基づき、ガス流量の通常の積算値をカウントする電子式の通常積算値カウンタ２３と、マイクロコンピュータから構成される制御部１２４とを有している。また、表示装置１３との間で通信を行うための通信部２９を有している。
【００６０】
表示装置１３は、マイクロコンピュータから構成される制御部１３１と、液晶表示部１３２と、ガスメータ１２の側から各種の積算値を受信する通信部１３３と、液晶表示部１３２の表示切り換えを行うための表示切り換えボタン１３４を備えている。例えば、表示切り換えボタン１３４の操作に応じて、液晶表示部１３２に表示される積算値が、通常積算値、長時間積算値、大流量積算値、指定時間積算値、指定温度時積算値、特定器具積算値の順にサイクリックに切り換わるように構成されている。
【００６１】
これに加えて、表示装置１３は多機能型ガスカウンタ１４を内蔵しており、この多機能型ガスカウンタ１４は、制御部１３１の制御の下に動作する電子式の通常積算値カウンタ２３Ａと、長時間積算値カウンタ２５と、大流量積算値カウンタ２６と、指定時間積算値カウンタ２７と、指定温度時積算値カウンタ２８と、特定器具積算値カウンタ２０を備えている。
【００６２】
これらの電子式の積算値カウンタ２３Ａ、２５、２６、２７、２８、２０は、通信部１３３を介してガスメータ１２の側から供給されるガス流量の計量情報に基づき、各積算値のカウントを行う。通常積算値カウンタ２３Ａは通常積算値カウンタ２３と同一構成であり、また、各積算値カウンタ２５、２６、２７、２８および２０は、図４〜図９を参照して説明したものと同一であるので、それらの説明は省略する。
【００６３】
表示装置１３は更に、伝送装置（ＮＣＵ）１３６、センタ（図示せず）等の上位に向けて、通常積算値、長時間積算値、大流量積算値、指定時間積算値、指定温度時積算値等のデータを通信により供給するための通信部１３５を備えている。この通信部１３５は、制御部１３１の制御の下で、上位から多機能型ガスカウンタ１４への通信を受け、ガスメータ１２から受信した情報を上位に向けて転送する。さらには、この通信部１３５は、上位からガスメータ１２に対する通信も受けるようになっている。
【００６４】
ここで、この通信部１３５と伝送装置１３６との間の通信は、ＰＨＳなどの無線通信網を利用して行うことができる。この場合には、通信部１３５を無線通信部として構成し、伝送装置１３６の側にも無線通信部を組み込めばよい。
【００６５】
この構成の多機能型ガスカウンタ１４が内蔵された表示装置１３を用いる場合には、既存のガスメータに接続して使用できるので、便利である。
【００６６】
図１３には多機能型ガスメータシステムの構成例を示してあり、このシステムでは、上記の多機能型ガスカウンタ内蔵型表示装置１３が備わっている。この図に示すシステム１００は、ガスメータ１２に接続されている多機能型ガスカウンタ１４が内蔵された表示装置１３に通信用の伝送装置（ＮＣＵ）５が接続され、公衆回線６を介して、センタ７側の管理コンピュータシステム８との間で通信が可能となっている。
【００６７】
（多機能型ガスカウンタ内蔵型伝送装置）
図１４には、本発明を適用した多機能型ガスカウンタを内蔵した伝送装置を備えた多機能型ガスメータシステムの構成例を示してある。この多機能型ガスメータシステム１２０は、一般的に使用されているガスメータ１２と、多機能型ガスカウンタ内蔵型伝送装置１２１を有している。
【００６８】
図１５には、本例の多機能型ガスメータシステム１２０におけるガスメータ１２と多機能型ガスカウンタ内蔵型伝送装置１２１の内部構成を示す概略ブロックを示してある。この図に示すように、ガスメータ１２は従来から使用されている一般的なものであり、図１２に示すガスメータと同一であるので、対応する部分には同一の番号を付し、それらの説明は省略する。
【００６９】
伝送装置１２１は、マイクロコンピュータから構成される制御部１２２と、液晶表示部１２３と、ガスメータ１２の側との間で送受信を行うための通信部１２５と、公衆回線等を介して不図示のセンタ側との間で送受信を行うための通信部１２７と、液晶表示部１２３の表示切り換えを行うための表示切り換えボタン１２６を備えている。例えば、表示切り換えボタン１２６の操作に応じて、液晶表示部１２３に表示される積算値が、通常積算値、長時間積算値、大流量積算値、指定時間積算値、指定温度時積算値、特定器具積算値の順にサイクリックに切り換わるように構成されている。
【００７０】
これに加えて、伝送装置１２１は多機能型ガスカウンタ１４を内蔵しており、この多機能型ガスカウンタ１４は、制御部１２２の制御の下に動作する電子式の長時間積算値カウンタ２５と、大流量積算値カウンタ２６と、指定時間積算値カウンタ２７と、指定温度時積算値カウンタ２８と、特定器具積算値カウンタ２０を備えている。
【００７１】
これらの電子式の積算値カウンタ２５、２６、２７、２８および２０は、通信部１２５を介してガスメータ１２の側から供給されるガス流量の計量情報に基づき、各積算値のカウントを行う。各積算値カウンタ２５、２６、２７、２８および２０は、図４〜図９を参照して説明したものと同一であるので、それらの説明は省略する。
【００７２】
なお、通信部１２７は、制御部１２２の制御の下で、上位から多機能型ガスカウンタ１４への通信を受け、ガスメータ１２から受信した情報を上位に向けて転送する。さらには、この通信部１２７は、上位からガスメータ１２に対する通信も受けるようになっている。
【００７３】
この構成の多機能型ガスカウンタ１４が内蔵された伝送装置１２１を用いた場合には、既存のガスメータに接続して使用できるので、便利である。
【００７４】
図１６には上記の多機能型ガスカウンタ内蔵型伝送装置１２１を備えた多機能型ガスメータシステムの構成例を示してある。この図に示す多機能型ガスメータシステム１４０は、ガスメータ１２に接続されている多機能型ガスカウンタ１４が内蔵された伝送装置１２１に公衆回線６を介してセンタ７側の管理コンピュータシステム８との間で通信が可能となっている。
【００７５】
（多機能型ガスカウンタ内蔵型センタ装置）
図１７（ａ）には、本発明を適用した多機能型ガスカウンタ内蔵型センタ装置を備えた多機能型ガスメータシステムの構成例を示してある。この多機能型ガスメータシステム１５０は、一般的に使用されているガスメータ１２と、このガスメータ１２に接続されている一般的な伝送装置１５１と、公衆回線６を介して当該伝送装置１５１に接続されているセンタ装置１５２とを有している。
【００７６】
図１８には、本例の多機能型ガスメータシステム１５０におけるセンタ装置１５２と伝送装置１５１の内部構成を示す概略ブロックを示してある。この図に示すように、伝送装置１５１は従来から使用されている一般的なものであり、マイクロコンピュータから構成される通信制御部１５３と、公衆回線６を介してセンタ装置１５２との間でデータの送受信を行うための通信部１５４と、ガスメータ１２との間で電文通信を行うための通信部１５５を備えている。
【００７７】
これに対して、センタ装置１５２は、マイクロコンピュータあるいはパーソナルコンピュータ／ワークステーションから構成される制御部１５６と、液晶表示部１５７と、公衆回線６を介して伝送装置１５１の側との間で送受信を行うための通信部１５８と、上位機器（図示せず）との間で通信を行うための通信部１５９と、液晶表示部１５７の表示切り換えを行うための表示切り換えボタン１６０を備えている。表示切り換えボタン１６０の操作に応じて、液晶表示部１５７に表示される積算値が、通常積算値、長時間積算値、大流量積算値、指定時間積算値、指定温度時積算値、特定器具積算値の順にサイクリックに切り換わるように構成されている。
【００７８】
これに加えて、センタ装置１５２は多機能型ガスカウンタ１４を内蔵しており、この多機能型ガスカウンタ１４は、制御部１５６の制御の下に動作する電子式の長時間積算値カウンタ２５と、大流量積算値カウンタ２６と、指定時間積算値カウンタ２７と、指定温度時積算値カウンタ２８と、特定器具積算値カウンタ２０を備えている。
【００７９】
これらの電子式の積算値カウンタ２５、２６、２７、２８および２０は、ガスメータ１２の側から伝送装置１５１および公衆回線６を経由して供給されるガス流量の計量情報に基づき、各積算値のカウントを行う。各積算値カウンタ２５、２６、２７、２８および２０は、図４〜図９を参照して説明したものと同一であるので、それらの説明は省略する。
【００８０】
この構成の多機能型ガスカウンタ内蔵型のセンタ装置１５２を用いる場合には、既存の伝送装置およびガスメータに接続して使用できるので便利である。
【００８１】
なお、センタ装置１５２においては、図１７（ｂ）に示すように、多機能型ガスカウンタ１４の機能をソフトウエアにより実現するようにしてもよい。このような多機能型ガスカウンタ機能を備えたセンタ側ソフトウエアがインストールされたセンタ１６５を用いる場合にも同様な作用効果が得られる。
【００８２】
次に、図１９（ａ）、（ｂ）には、図１７（ａ）、（ｂ）に示すシステムに、更に上位の機器が接続された構成のシステム構成例を示してある。これらのシステム１７１、１７２においては、センタ装置１５２およびセンタ装置１６５の上位に、それぞれ上位センタあるいは管理用コンピュータ１７３が接続された構成となっている。
【００８３】
（多機能型ガスカウンタ内蔵無線機）
図２０には、本発明を適用した多機能型ガスカウンタを内蔵した無線機を備えた多機能型ガスメータシステムの構成例を示してある。この多機能型ガスメータシステム１８０は、ガス消費場所に設置されるものであり、一般的に使用されているガスメータ１８１と、ここに接続された多機能型ガスカウンタ内蔵無線機１８２と、一般的に使用されている伝送装置１８３と、この伝送装置１８３に接続された無線機１８４とを有しており、ガスメータ１８１と伝送装置１８３の間の通信が、多機能型ガスカウンタ内蔵無線機１８２と無線機１８４との間の無線通信により行われるようになっている。
【００８４】
これら無線機１８２および１８４は、例えば、ＰＨＳを用いることができる。この場合、伝送装置１台に対して複数箇所のガスメータから計量値などが供給されるので、ＰＨＳの無線親機を伝送装置の側に接続し、無線子機をガスメータの側に接続することができる。
【００８５】
図２１には、本例の多機能型ガスメータシステム１８０におけるガスメータ１８１および多機能型ガスカウンタ内蔵無線機１８２の内部構成を示す概略ブロックを示してある。この図に示すように、ガスメータ１８１は従来から使用されている一般的なものであり、図１２に示すガスメータと同一であるので、対応する部分には同一の番号を付し、それらの説明は省略する。
【００８６】
多機能型ガスカウンタ内蔵無線機１８２は、マイクロコンピュータから構成される制御部１２２Ａと、液晶表示部１２３Ａと、ガスメータ１８１の側との間で送受信を行うための通信部１２５Ａと、伝送装置１８３の側の無線機１８４との間で無線により通信を行うための無線通信部１２７Ａと、液晶表示部１２３Ａの表示切り換えを行うための表示切り換えボタン１２６Ａを備えている。例えば、表示切り換えボタン１２６Ａの操作に応じて、液晶表示部１２３Ａに表示される積算値が、通常積算値、長時間積算値、大流量積算値、指定時間積算値、指定温度時積算値、特定器具積算値の順にサイクリックに切り換わるように構成されている。
【００８７】
また、多機能型ガスカウンタ１４Ａを内蔵しており、この多機能型ガスカウンタ１４Ａは、制御部１２２Ａの制御の下に動作する電子式の長時間積算値カウンタ２５Ａと、大流量積算値カウンタ２６Ａと、指定時間積算値カウンタ２７Ａと、指定温度時積算値カウンタ２８Ａと、特定器具積算値カウンタ２０Ａを備えている。
【００８８】
これらの電子式の積算値カウンタ２５Ａ、２６Ａ、２７Ａ、２８Ａおよび２０Ａは、通信部１２５Ａを介してガスメータ１８１の側から供給されるガス流量の計量情報に基づき、各積算値のカウントを行う。各積算値カウンタ２５Ａ、２６Ａ、２７Ａ、２８Ａおよび２０Ａは、図４〜図９を参照して説明した積算値カウンタ２５ないし２８、および２０と同一であるので、それらの説明は省略する。
【００８９】
なお、無線通信部１２７Ａは、制御部１２２Ａの制御の下で、ガスメータ１８１から受信した情報および積算値を、無線機１８４を介して伝送装置１８３に供給する。また、この無線通信部１２７Ａは、伝送装置１８３からのガスメータ１８１に対する通信も受けるようになっている。
【００９０】
図２２には上記の多機能型ガスメータシステム１８０を備えた多機能型ガスメータ集中監視システムの構成例を示してある。この図に示す多機能型ガスメータ集中監視システム１９０では、多機能型ガスメータシステム１８０の伝送装置１８３が公衆回線６Ａを介してセンタ７Ａ側の管理コンピュータシステム８Ａに接続され、管理コンピュータシステム８Ａによって集中監視が可能となっている。
【００９１】
次に、図２３には、多機能型ガスカウンタ内蔵無線機が伝送装置の側に接続されている多機能型ガスメータシステムの例を示してある。この多機能型ガスメータシステム２００は、一般的に使用されているガスメータ２０１と、ここに接続された無線機２０２と、伝送装置２０３と、この伝送装置に接続された多機能型ガスカウンタ内蔵無線機２０４とを有しており、無線機２０２および多機能型ガスカウンタ内蔵無線機２０４の間の無線通信を介して、ガスメータ２０１と伝送装置２０３との間で情報の送受が行われるようになっている。
【００９２】
この場合、伝送装置の側に接続されている多機能型ガスカウンタ内蔵無線機をＰＨＳ無線親機とし、ガスメータの側に接続されている無線機をＰＨＳ無線子機とすることができる。
【００９３】
図２４には、本例の多機能型ガスメータシステム２００における伝送装置２０３と、多機能型ガスカウンタ内蔵無線機２０４の内部構成を示す概略ブロックを示してある。この図に示すように、伝送装置２０３は従来から使用されている一般的なものであり、制御部２０５と、多機能型ガスカウンタ内蔵無線機２０４との間で通信を行うための通信部２０６と、公衆回線などを介してセンタ（図示せず）との間で通信を行うための通信部２０７を備えている。
【００９４】
多機能ガスカウンタ内蔵無線機２０４は、マイクロコンピュータから構成される制御部１２２Ｂと、液晶表示部１２３Ｂと、伝送装置２０３の側との間で送受信を行うための通信部１２５Ｂと、ガスメータの側の無線機２０２との間で無線通信を行うための無線通信部１２７Ｂと、液晶表示部１２３Ｂの表示切り換えを行うための表示切り換えボタン１２６Ｂを備えている。例えば、表示切り換えボタン１２６Ｂの操作に応じて、液晶表示部１２３Ｂに表示される積算値が、通常積算値、長時間積算値、大流量積算値、指定時間積算値、指定温度時積算値、特定器具積算値の順にサイクリックに切り換わるように構成されている。
【００９５】
また、多機能型ガスカウンタ１４Ｂを内蔵しており、この多機能型ガスカウンタ１４Ｂは、制御部１２２Ｂの制御の下に動作する電子式の長時間積算値カウンタ２５Ｂと、大流量積算値カウンタ２６Ｂと、指定時間積算値カウンタ２７Ｂと、指定温度時積算値カウンタ２８Ｂと、特定器具積算値カウンタ２０Ｂを備えている。
【００９６】
これらの電子式の積算値カウンタ２５Ｂ、２６Ｂ、２７Ｂ、２８Ｂおよび２０Ｂは、通信部１２５Ｂを介してガスメータ２０１の側から供給されるガス流量の計量情報に基づき、各積算値のカウントを行う。各積算値カウンタ２５Ｂ、２６Ｂ、２７Ｂ、２８Ｂおよび２０Ｂは、図４〜図９を参照して説明した積算値カウンタ２５ないし２８、および２０と同一であるので、それらの説明は省略する。
【００９７】
図２５には上記の多機能型ガスメータシステム２００を備えた多機能型ガスメータ集中監視システムの構成例を示してある。この図に示す多機能型ガスメータ集中監視システム２１０では、多機能型ガスメータシステム２００の伝送装置２０３が公衆回線６Ｂを介してセンタ７Ｂ側の管理コンピュータシステム８Ｂに接続され、管理コンピュータシステム８Ｂよって集中監視が可能となっている。
【００９８】
【発明の効果】
以上説明したように、本発明の多機能型ガスカウンタ、並びに、多機能型ガスカウンタを内蔵した多機能型ガスメータ、表示装置、伝送装置および多機能型ガスメータシステムは、異なる条件でのガス流量の積算値をカウント可能な電子式の積算値カウンタを有している。特に、ガス使用量が時間経過に応じて少なくとも二段階に変化するパターンの特定器具によるガス使用量積算値をカウント可能な特定器具積算値カウンタを有している。
【００９９】
従って、当該積算値カウンタによる積算値に基づき、床暖房装置、ガスファンヒータ等のような特定器具の使用に対して、多様なガス料金の課金システムを採用することができる。この結果、特定のガス器具の拡販や、一日、年間におけるガス使用量の平均化、ガス使用量の多い顧客に対する優遇等を実現できる。
【図面の簡単な説明】
【図１】本発明を適用した多機能型ガスメータの概略構成例を示す概略構成図である。
【図２】（ａ）および（ｂ）は、図１のシステムにおける表示器の取り付け位置の例を示す説明図である。
【図３】図１の多機能型ガスメータの内部構成を示す概略ブロック図である。
【図４】図１の多機能型ガスメータにおける長時間積算値カウンタの動作を示すための説明図である。
【図５】図１の多機能型ガスメータにおける大流量積算値カウンタの動作を示すための説明図である。
【図６】図１の多機能型ガスメータにおける指定時間積算値カウンタの動作を示すための説明図である。
【図７】図１の多機能型ガスメータにおける指定温度時積算値カウンタの動作を示すための説明図である。
【図８】図１の多機能型ガスメータにおける特定器具積算値カウンタによりガス使用量の積算値がカウントされる床暖房装置のガス使用パターン例を示す説明図である。
【図９】図１の多機能型ガスメータにおける特定器具積算値カウンタによりガス使用量の積算値がカウントされるガスファンヒータのガス使用パターン例を示す説明図、および特定器具積算値カウンタの動作を示す概略フローチャートである。
【図１０】図１の多機能型ガスメータを備えた多機能型ガスメータシステムの一例を示すシステム構成図である。
【図１１】本発明を適用した多機能型ガスカウンタ内蔵型表示装置を備えた多機能型ガスメータシステムを示す概略構成図である。
【図１２】図１１の多機能型ガスメータシステムの内部構成を示す概略ブロック図である。
【図１３】図１１の多機能型ガスカウンタ内蔵型表示装置を備えた多機能型ガスメータシステムの変形例を示すシステム構成図である。
【図１４】本発明を適用した多機能型ガスカウンタ内蔵型伝送装置を備えた多機能型ガスメータシステムを示す概略構成図である。
【図１５】図１４の多機能型ガスメータシステムの内部構成を示す概略ブロック図である。
【図１６】図１４の多機能型ガスカウンタ内蔵型伝送装置を備えた多機能型ガスメータシステムの変形例を示すシステム構成図である。
【図１７】（ａ）および（ｂ）は、それぞれ、本発明を適用した多機能型ガスカウンタ内蔵型センタ装置および多機能型ガウカウンタソフトを備えたセンタ装置を備えた多機能型ガスメータシステムのシステム構成図である。
【図１８】図１７（ａ）のセンタ装置の内部構成を示す概略ブロック図である。
【図１９】図１５の多機能型ガスメータシステムの変形例を示すシステム構成図である。
【図２０】本発明により構成された多機能型ガスカウンタ内蔵無線機を備えた多機能型ガスメータシステムの一例を示す構成図である。
【図２１】図２０のシステムにおけるガスメータと多機能型ガスカウンタ内蔵無線機の概略ブロック図である。
【図２２】図２０のシステムを備えた多機能型ガスメータ集中監視システムの例を示す概略構成図である。
【図２３】本発明により構成された多機能型ガスカウンタ内蔵無線機を備えた多機能型ガスメータシステムの一例を示す構成図である。
【図２４】図２３のシステムにおける伝送装置と多機能型ガスカウンタ内蔵無線機の概略ブロック図である。
【図２５】図２３のシステムを備えた多機能型ガスメータ集中監視システムの例を示す概略構成図である。
【符号の説明】
１    多機能型ガスメータ
２    多機能型ガスメータ本体
３    表示器
４、１００、１２０、１４０、１５０、１７１、１７２、１８０、１９０
多機能型ガスメータシステム
５、１３６、１５１    伝送装置（ＮＣＵ）
６、６Ａ、６Ｂ    公衆回線
７、７Ａ、７Ｂ    センタ
８、８Ａ、８Ｂ    管理コンピュータシステム
１０  ガスメータシステム
１２  ガスメータ
１３  多機能型ガスカウンタ内蔵型の表示装置
１４、１４Ａ、１４Ｂ  多機能型ガスカウンタ
２０、２０Ａ、２０Ｂ  特定器具積算値カウンタ
２１  機械式計量部
２２  機械式カウンタ
２３、２３Ａ  通常積算値カウンタ
２４、３１、１２２、１２４、１３１、１５３、１５６  制御部
２５、２５Ａ、２５Ｂ  長時間積算値カウンタ
２６、２６Ａ、２６Ｂ  大流量積算値カウンタ
２７、２７Ａ、２７Ｂ  指定時間積算値カウンタ
２８、２８Ａ、２８Ｂ  指定温度時積算値カウンタ
２９、３３、１２５、１２７、１３３、１３５、１５４、１５５、１５８、１５９  通信部
３２、１２３、、１２３Ａ、１２３Ｂ、１３２、１５７  液晶表示部
３４、１２６、１２６Ａ、１２６Ｂ、１３４、１６０  表示切り換えボタン
１２１  多機能型ガスカウンタ内蔵型の伝送装置
１５２  多機能型ガスカウンタ内蔵型のセンタ装置
１６５  多機能型ガスカウンタ機能ソフトを備えたセンタ装置
１７３  上位センタ管理用コンピュータ等
１８２、１８４  多機能型ガスカウンタ内蔵無線機
【図１】
0004785272.tif 000002
【図２】
0004785272.tif 000003
【図３】
0004785272.tif 000004
【図４】
0004785272.tif 000005
【図５】
0004785272.tif 000006
【図６】
0004785272.tif 000007
【図７】
0004785272.tif 000008
【図８】
0004785272.tif 000009
【図９】
0004785272.tif 000010
【図１０】
0004785272.tif 000011
【図１１】
0004785272.tif 000012
【図１２】
0004785272.tif 000013
【図１３】
0004785272.tif 000014
【図１４】
0004785272.tif 000015
【図１５】
0004785272.tif 000016
【図１６】
0004785272.tif 000017
【図１７】
0004785272.tif 000018
【図１８】
0004785272.tif 000019
【図１９】
0004785272.tif 000020
【図２０】
0004785272.tif 000021
【図２１】
0004785272.tif 000022
【図２２】
0004785272.tif 000023
【図２３】
0004785272.tif 000024
【図２４】
0004785272.tif 000025
【図２５】
0004785272.tif 000026